(57)【要約】ユーザの髪の外見を補足し、強調し、または他のように変えるためにユーザの頭に装着される天然の髪または合成の髪を有するデバイスが開示される。一実施形態にしたがうと、膨らみ効果を提供するためのヘアアディションは、基礎と、該基礎を装着者の髪に取り付けるための該基礎に結合された複数の取り付け部材と、該基礎にわたる複数のヘアストランド保持部材と、該ヘアストランド保持部材に結合され、全体的に該基礎と該取り付け部材と該ヘアストランド保持部材とを隠す複数のヘアストランドとを含む。この基礎は、外側フレームと、複数の成形ストリップとを有する。外側フレームは、前側と後側と、対向する端部とを規定する。成形ストリップは、前側から後側に延び、成形ストリップは、それぞれ、屈曲可能であり、さらなる操作がなされるまで、その形態を保持する。
2012529576.tif 000002
【特許請求の範囲】
【請求項１】
膨らみ効果を提供するためのヘアアディションであって、
外側フレームと複数の成形ストリップとを有する基礎であって、該外側フレームは、前側と後側と対向する端部とを規定し、該成形ストリップは、該前側から該後側に延び、各成形ストリップは、屈曲可能であり、さらなる操作がなされるまでその形態を保持する、基礎と、
該基礎を装着者の髪に取り付けるための該基礎に結合された複数の取り付け部材と、
該外側フレームの対向する端部にわたる複数のヘアストランド保持部材と、
該ヘアストランド保持部材に結合され、該基礎と該取り付け部材と該ヘアストランド保持部材とを全体的に隠す複数のヘアストランドと
を備えている、ヘアアディション。
【請求項２】
各成形ストリップは、ワイヤの周りに折り畳まれ、一緒に留められた細長い材料のストリップを含むことにより、該材料が該ワイヤを覆う、請求項１に記載のヘアアディション。
【請求項３】
前記外側フレームは、少なくとも１つの細長い非硬質の外側フレーム材料の部品を含み、該細長い部品は前記成形ストリップの端部の周りに折り畳まれ、該成形ストリップは、前記ワイヤの周りに折り畳まれた前記細長い材料のストリップを有する、請求項２に記載のヘアアディション。
【請求項４】
前記ワイヤの端部は屈曲されている、請求項３に記載のヘアアディション。
【請求項５】
前記ワイヤの端部は、キャップ、接着剤およびシーラントからなる群より選択される少なくとも１つの品目によって被覆される、請求項３に記載のヘアアディション。
【請求項６】
前記複数の成形ストリップは、互いにほぼ平行である、請求項３に記載のヘアアディション。
【請求項７】
前記取り付け部材のうちの少なくとも１つは、前記基礎の前側において該基礎に結合され、該基礎の後側に面する歯を含み、
該取り付け部材のうちの少なくとも１つは、該基礎の後側において該基礎に結合され、該基礎の前側に面する歯を含む、請求項６に記載のヘアアディション。
【請求項８】
前記複数の成形ストリップは、前記外側フレームの後端部よりも該外側フレームの前端部において、共により近付けられている、請求項３に記載のヘアアディション。
【請求項９】
前記ワイヤの端部は、
（ａ）屈曲部である、
（ｂ）キャップによって被覆されている、
（ｃ）接着剤によって被覆されている、そして、
（ｄ）シーラントによって被覆されている
のうちの少なくとも１つである、請求項８に記載のヘアアディション。
【請求項１０】
前記取り付け部材のうちの少なくとも１つは、前記基礎の前側において該基礎に結合され、該基礎の後側に面する歯を含み、
該取り付け部材のうちの少なくとも１つは、該基礎の後側において該基礎に結合され、該基礎の前側に面する歯を含む、請求項８に記載のヘアアディション。
【請求項１１】
前記取り付け部材のうちの１つは、前記基礎の前側において前記外側フレームの端部のうちの一方に隣接して該基礎に結合され、該基礎の後側に面する歯を含み、
該取り付け部材のうちの１つは、該基礎の前側において前記外側フレームの端部のうちのもう一方に隣接して該基礎に結合され、該基礎の後側に面する歯を含み、
該取り付け部材のうちの少なくとも１つは、該基礎の後側において該基礎に結合され、該基礎の前側に面する歯を含む、請求項８に記載のヘアアディション。
【請求項１２】
前記取り付け部材のうちの１つは、前記基礎の前側に沿ってほぼ中心を合わせられ、該基礎の前側に結合され、該基礎の後側に面する歯を含む、請求項１１に記載のヘアアディション。
【請求項１３】
前記外側フレームの前記後側および対向する端部は、全体的にほぼ弓形である、請求項１２に記載のヘアアディション。
【請求項１４】
前記複数の成形ストリップは、互いにほぼ平行である、請求項１に記載のヘアアディション。
【請求項１５】
前記複数の成形ストリップは、前記外側フレームの後端部よりも該外側フレームの前端部において、共により近付けられている、請求項１に記載のヘアアディション。
【請求項１６】
膨らみ効果を提供するためのヘアアディションであって、
外側フレームと複数の成形ストリップとを有する基礎であって、該外側フレームは、前側と後側と対向する端部とを規定し、該成形ストリップは、該前側から該後側に延び、各成形ストリップは、屈曲可能であり、さらなる操作がなされるまでその形態を保持する、基礎と、
該基礎を装着者の髪に取り付けるための手段と、
該外側フレームにわたる複数のヘアストランド保持部材と、
該ヘアストランド保持部材に結合され、該基礎と取り付け部材と該ヘアストランド保持部材とを全体的に隠す複数のヘアストランドと
を備えている、ヘアアディション。
【請求項１７】
各成形ストリップは、ワイヤの周りに折り畳まれ、一緒に留められた細長い材料のストリップを含むことにより、該材料が該ワイヤを覆う、請求項１６に記載のヘアアディション。
【請求項１８】
前記複数の成形ストリップは、互いにほぼ平行である、請求項１６に記載のヘアアディション。
【請求項１９】
前記複数の成形ストリップは、前記外側フレームの後端部よりも該外側フレームの前端部において、共により近付けられている、請求項１６に記載のヘアアディション。
【発明の詳細な説明】
【技術分野】
【０００１】
関連出願
本願は、２００９年６月１０日に出願された米国仮特許出願第６１／１８５，８６２号に対する優先権を主張し、この仮特許出願の開示は、本明細書において参照により援用される。
【０００２】
技術分野
本明細書に開示される主題は、ヘアアディション（ｈａｉｒ  ａｄｄｉｔｉｏｎ）に関し、このヘアアディションは、ユーザの髪の外見を補足し、強調し、または他のように変えるためにユーザの頭に装着される天然の髪または合成の髪を有するデバイスである。
【背景技術】
【０００３】
背景
「膨らんだ（ｂｕｍｐｅｄ）」髪型は、女性の間で人気がある。しかしながら、この効果を達成することは、一般的に困難で、時間を消費し、この効果はしばしば所望した時間よりも短い時間しか続かない。例えば、特許文献１に開示されるような従来の解決策は、基礎デバイスを提供することを含み、この基礎デバイスにおいては、ユーザの髪がカバーにかぶせられるか、またはカバーに折り畳まれるかのいずれかを行わなければならない。
【先行技術文献】
【特許文献】
【０００４】
【特許文献１】米国特許第７，２６４，００３号明細書
【発明の概要】
【課題を解決するための手段】
【０００５】
簡単な概要
一実施形態にしたがうと、膨らみ効果（ｂｕｍｐ  ｕｐ  ｅｆｆｅｃｔ）を提供するためのヘアアディションは、基礎と、該基礎を装着者の髪に取り付けるための該基礎に結合された複数の取り付け部材と、該基礎にわたる複数のヘアストランド保持部材と、該ヘアストランド保持部材に結合され、全体的に該基礎と該取り付け部材と該ヘアストランド保持部材とを隠す複数のヘアストランドとを含む。この基礎は、外側フレームと、複数の成形ストリップとを有する。外側フレームは、前側と後側と、対向する端部とを規定する。成形ストリップは、前側から後側に延び、成形ストリップは、それぞれ、屈曲可能であり、さらなる操作がなされるまで、その形態を保持する。
【０００６】
別の実施形態にしたがうと、膨らみ効果を提供するためのヘアアディションは、基礎と、この基礎を装着者の髪に取り付けるための手段と、この基礎にわたる複数のヘアストランド保持部材と、このヘアストランド保持部材に結合され、基礎と取り付け部材とヘアストランド保持部材とを全体的に隠す複数のヘアストランドとを含む。外側フレームは前側と後側と、対向する端部とを規定する。成形ストリップは、前側から後側に延び、成形ストリップは、それぞれ、屈曲可能であり、さらなる操作がなされるまで、その形態を保持する。
【図面の簡単な説明】
【０００７】
【図１】図１は、本明細書に記載された実施形態にしたがう、使用中のヘアアディションを示す。
【図２】図２は、図１のヘアアディションの基礎と取り付け部材とを示す。
【図３ａ】図３ａは、図２の一部を詳細に示す。
【図３ｂ】図３ｂは、図３ａの分解図を示す。
【図４】図４は、屈曲していない構成における図１のヘアアディションの下側を示す。
【図５】図５は、図１のヘアアディションのヘアストランド保持部材およびヘアストランドの部分を示す。
【図６】図６は、屈曲した構成における図１のヘアアディションの下側を示す。
【発明を実施するための形態】
【０００８】
詳細な説明
図１〜図６は、一実施形態にしたがい、装着者の頭１０（図１）に装着されたとき、膨らみ効果を提供するヘアアディション１００を示す。ヘアアディション１００は、基礎１１０と、取り付け部材１３０と、ヘアストランド保持部材１４０と、ヘアストランド１５０とを含む。
【０００９】
図２に最良に示される基礎１１０は、外側フレーム１１３によって規定された前側１１２ａと、後側１１２ｂと、対向する端部１１４ａ、１１４ｂとを有する。外側フレーム１１３は、１つ以上の材料の部品で構成され得、２つの部品１１３ａ（前側１１２ａを規定する）および１１３ｂ（対向する端部１１４ａ、１１４ｂおよび後側１１２ｂを規定する）が図２に示される。部品１１３ａ、１１３ｂは、例えば、約３／１６インチ〜約１／４インチの幅を有する非弾性レースのストリップであり得る。しかしながら、他の材料およびサイズもまた適切であり得ることが認識されるべきである。
【００１０】
基礎１１０内の成形ストリップ１１５は、外側フレーム１１３を横切って、前側１１２ａから後側１１２ｂまで延び、（図２に示されるように）ほぼ直線状であり、平行であり得るか、または、例えば、中央の成形ストリップ１１５ａの各側において成形ストリップ１１５が、図２に示されるよりも、中央の成形ストリップ１１５ａからさらに遠くに離れて後側１１２ｂに取り付けられるように弓形であり得る。各成形ストリップ１１５は、屈曲可能であるが、さらなる操作がなされるまでその形態を保持する。
【００１１】
図３ａおよび図３ｂに示されるようないくつかの実施形態において、各成形ストリップ１１５は、細長い材料のストリップ１１６（例えば、非弾性レース）を含み得、この細長い材料のストリップ１１６は、ワイヤ１１７の周りに折り畳まれ、材料１１６がワイヤ１１７を覆うようにステッチング１１８によって一緒に縫われる。いくつかの実施形態において、材料１１６は、一回折り畳まれると約３／１６インチ〜約１／４インチまでの幅を有するが、他のサイズもまた適切であり得る。ワイヤ１１７は、金属の１つ以上のストランド、複合材料の１つ以上のストランド、またはワイヤ１１７が折り畳まれた材料１１６の内部に適合するような任意の寸法の他の材料の１つ以上のストランドであり得、ワイヤ１１７は、破損することなしに繰り返し屈曲され得、さらなる操作がなされるまでその形態を保持する。材料１１３ｂは、材料１１６と同様に折り畳まれ得、ステッチング１１９によって縫われ得、材料１１３ｂは、材料１１６と、ワイヤ１１７の端部１１７ａとを覆い得る。いくつかの実施形態において、端部１１７ａは、屈曲され、そして／または、端部１１７ａをさらに固定するために、（例えば、キャップ、接着剤、またはその後乾燥／硬化されるシーラントなどによって）覆われる。
【００１２】
図２に戻って、取り付け部材１３０は、任意の適切な髪係合部材であり得る。例示的な髪係合部材（一般的には、参照番号１２で識別される）は、米国特許出願公開第２００７／０２２１２４４号（Ｌａｎｅ）に示され、この特許出願公開は、Ｃｅｌｅｂｒｉｔｙ  Ｓｉｇｎａｔｕｒｅｓ  Ｉｎｔｅｒｎａｔｉｏｎａｌ，Ｉｎｃ．に譲渡され、その内容は、本明細書において参照により援用される。図２に示されるように、歯１３２を有する３つの取り付け部材１３０が、基礎１１０の前側１１２ａに結合され得、歯１３２を有する１つの取り付け部材１３０が基礎１１０の後側１１２ｂに結合され得、または他の数および他の構成の取り付け部材１３０が使用され得る。図２に示されるように、前側１１２ａに結合された取り付け部材１３０の歯１３２が後側１１２ｂに面し、後側１１２ｂに結合された取り付け部材１３０の歯１３２が前側１１２ａに面することが好都合であり得る。
【００１３】
ここで、図４を参照して、ヘアストランド保持部材１４０は、基礎１１０を横切って、具体的には外側フレーム１１３を横切って延び得、外側フレーム１１３および成形ストリップ１１５に接続され得る（例えば、縫われ得る、接着され得るなど）。さらに、網（例えば、蜂の巣網（図面には示されていない））が、外側フレーム１１３を横切って延び得、ヘアストランド保持部材１４０は、また、網に接続され得る。一実施形態において、ヘアストランド保持部材１４０は、ステッチングパターンを利用して形成され、その結果、ヘアストランド保持部材１４０は、ヘアストランド保持１４０の一部分の製造工程の際に、ヘアストランド保持部材１４０内に挿入されたヘアストランド１５０を適切な位置で係合および保持する。特定のヘアストランド保持部材１４０は、図４において見られ得るような、端部１１４ａと１１４ｂとの間の可変の長さに起因して、他のヘアストランド保持部材１４０よりも長い場合がある。
【００１４】
図５は、各ヘアストランド保持部材１４０の一部分を図示し、この一部分は保持されるヘアストランド１５０を含む。明確さのために、図５は、一般的な製品において利用されるものよりも密度の小さいパターンでヘアストランド１５０を図示する。図示されるように、ヘアストランド保持部材１４０は、各ヘアストランド１５０の実質的な中点を係合する個々のスレッド１４２の縫われたパターンとして形成される。換言すると、ヘアストランド１５０は、ほぼ半分に折り畳まれ、そして、個々のスレッド１４２のパターンは、折り目においてヘアストランド１５０を係合する。一実施形態において、各ヘアストランド１５０は、ヘアストランド保持部材１４０内に個別に縫われる。代替的な実施形態において、ヘアストランド１５０の束（１束につき５〜２００の範囲の個々のヘアストランド）は、ヘアストランド保持部材１４０内に縫われる。個々のヘアストランド１５０間の間隔、または代替案におけるヘアストランド１５０の束の間の間隔は、ヘアアディション１００に対して所望される密度に依存する。
【００１５】
ヘアストランド１５０は、ヘアアディション１００に対して所望される髪型に依存して任意の構成であり得る。結果として、ユーザは、様々な髪型を提供するためにユーザの本来の髪にヘアストランド１５０を追加することを利用し、この様々な髪型のうちのいくつかは、ヘアアディション１００なしには、達成できない場合があり、または外見において望ましくない場合がある。より具体的には、様々な実施形態において、ヘアストランド１５０は、弓形であるか、強くカールされているか、または実質的にまっすぐであり得、様々な長さおよび色である。さらに、ヘアストランド１５０は、合成のヘアストランドまたは天然のヘアストランドのうちの１つ以上を含み得る。合成のヘアストランドに関して、髪は、ポリマー繊維（例えば、モダクリル繊維）から製造され得るか、または合成の髪は、モダクリル繊維以外のポリマー繊維（アクリル）から製造され得る。
【００１６】
図６は、使用のための調整において屈曲したヘアアディション１００を示し、ここで成形ストリップ１１５は、基礎１１０の前側１１２ａが基礎１１０の後側１１２ｂにより近づくように維持されて、取り付け部材１３０が装着者の髪に留められる場合（図１）に、膨らんだ効果または盛り上がった効果を形成するように、屈曲している。１つの使用態様において、成形ストリップ１１５は、取り付け部材１３０のうちの任意の取り付け部材が装着者の髪に留められる前に屈曲され、基礎１１０の前側１１２ａの取り付け部材１３０が、装着者の髪に留められ、成形ストリップ１１５は、所望の型を達成するためにさらに屈曲され、基礎１１０の後側１１２ｂの取り付け部材１３０が、装着者の髪に留められる。次いで、装着者の髪は、必要に応じて、ヘアアディション１００と一緒に混合され得るが、最小限の混合は必要である。成形ストリップによって提供される可撓性および安定性は、単一のヘアアディション１００が、様々な形状およびサイズの頭に適切に適合することを可能にし得、同様に、様々な膨らんだ見た目（例えば、様々な高さおよび構成の膨らみ）が単一のユーザの場合でさえ作られることを可能にし得る。
【００１７】
当業者は、上記で開示された特定の実施形態からの変化形が本明細書において企図されていることと、記載された実施形態に限定されないこととを認識する。この説明は、上記の実施形態に制限されるべきではないが、添付の特許請求の範囲によって、判断されるべきである。
【図１】
2012529576.tif 000003
【図２】
2012529576.tif 000004
【図３ａ】
2012529576.tif 000005
【図３ｂ】
2012529576.tif 000006
【図４】
2012529576.tif 000007
【図５】
2012529576.tif 000008
【図６】
2012529576.tif 000009
【国際調査報告】
2012529576.tif 000010
2012529576.tif 000011